(57)【要約】  駆動モータ（２）と、駆動モータ（２）のシャフトを中心に回転する羽根車（３）と、吸込口（９）と、羽根車（３）が発生させた気流を吹き出す吹出口と、羽根車（３）が発生させた気流を吹出口に導く舌部とを備え、羽根車（３）を収容するスクロールケーシング（４）とを有する遠心送風機（１）であって、羽根車（３）の中心からスクロールケーシング（４）の内壁面（４１）までの距離は、舌部を基点に羽根車（３）の回転方向へ進んだ最接近点において最短となり、スクロールケーシング（４）は、羽根車（３）の回転方向に沿って拡大角が変化する。
2019146015.tif 000002
【特許請求の範囲】
【請求項１】
駆動モータと、
前記駆動モータのシャフトを中心に回転する羽根車と、
吸込口と、前記羽根車が発生させた気流を吹き出す吹出口と、前記羽根車が発生させた気流を前記吹出口に導く舌部とを備え、前記羽根車を収容するスクロールケーシングとを有する遠心送風機であって、
前記羽根車の中心から前記スクロールケーシングの内壁面までの距離は、前記舌部を基点に前記羽根車の回転方向へ進んだ最接近点において最短となり、
前記スクロールケーシングは、前記羽根車の回転方向に沿って拡大角が変化することを特徴とする遠心送風機。
【請求項２】
前記舌部から前記最接近点にかけて、前記羽根車の中心から前記スクロールケーシングの内壁面までの距離が前記羽根車の回転方向に沿って減少していき、
前記最接近点を起点に前記羽根車の回転方向へ進んだ箇所に位置し、前記羽根車の中心と前記スクロールケーシングの内壁面との距離の拡大が終了する拡大終了点にかけて、前記羽根車の中心から前記スクロールケーシングの内壁面までの距離が増大することを特徴とする請求項１に記載の遠心送風機。
【請求項３】
前記最接近点と、前記羽根車の中心と、前記拡大終了点とによって形成される角度θは、１８０°≦θ≦２４０°であることを特徴とする請求項１又は２に記載の遠心送風機。
【請求項４】
前記シャフトの軸方向に沿って前記駆動モータと逆側から前記スクロールケーシングを見た視点において、前記羽根車の中心を原点に配置し、前記吹出口及び前記舌部を第一象限内に配置し、前記拡大終了点を第一象限内又は第二象限内に配置したとき、前記最接近点が第四象限内に配置されることを特徴とする請求項１又は２に記載の遠心送風機。
【発明の詳細な説明】
【技術分野】
【０００１】
本発明は、スクロールケーシングを備えた遠心送風機に関する。
【背景技術】
【０００２】
遠心送風機は、羽根車から吹き出された空気をスクロールケーシングにて回収する際に、羽根車の回転方向へ舌部から吹出口に向かって風路断面積を徐々に拡大させることで、気流の動圧成分を静圧成分へと変換させている。ここで、スクロールケーシングの拡大角をより大きくすると、スクロールケーシング内の風路断面積の拡大率も合わせて大きくなるため、動圧から静圧への変換が進み、送風機の吹出口付近では静圧が高くなる。【０００３】
一方、スクロールケーシングの拡大角を大きくすると、送風機本体の大型化を招くだけでなく、送風機の吹出口も大型化する。送風機の吹出口に角ダクトに例示される配管部材を取り付ける際に、送風機の吹出口と配管部材の口径とでサイズが大きく異なると、吹出口と配管部材との間で絞り部が生じることで、圧力損失の上昇に繋がり、送風性能が低下してしまう。したがって、送風機の吹出口のサイズを大きくしすぎることが無いように、スクロールケーシングの拡大角を目的に合わせて調節し、送風性能の向上及び騒音の低下を実現することが求められている。【０００４】
特許文献１に開示される遠心送風機は、羽根車とスクロールケーシングとの隙間が、巻き角度６０°から１４５°内において最小となるように、従来の位置から羽根車をずらしている。
【先行技術文献】
【特許文献】
【０００５】
【特許文献１】特開平９−２４２６９７号公報
【発明の概要】
【発明が解決しようとする課題】
【０００６】
特許文献１に開示される遠心送風機は、羽根車の中心とスクロールケーシングの中心とをずらして配置しており、遠心送風機の送風性能に大きく寄与する舌部と羽根車との位置関係が設計値と異なった状態で運転されることになる。そのため、羽根車の中心とスクロールケーシングの中心とのずれが大きくなるほど、羽根車から吹き出された流れが直接舌部に衝突しやすくなり、吹出口及び舌部のまわりの気流が乱れることで、送風性能が低下し騒音が増大する恐れがある。【０００７】
本発明は、上記に鑑みてなされたものであって、吹出口及び舌部の周りでの気流の乱れを抑えた遠心送風機を得ることを目的とする。
【課題を解決するための手段】
【０００８】
上述した課題を解決し、目的を達成するために、本発明は、駆動モータと、駆動モータのシャフトを中心に回転する羽根車と、吸込口と、羽根車が発生させた気流を吹き出す吹出口と、羽根車が発生させた気流を吹出口に導く舌部とを備え、羽根車を収容するスクロールケーシングとを有する遠心送風機である。羽根車の中心からスクロールケーシングの内壁面までの距離は、舌部を基点に羽根車の回転方向へ進んだ最接近点において最短となる。スクロールケーシングは、羽根車の回転方向に沿って拡大角が変化する。
【発明の効果】
【０００９】
本発明に係る遠心送風機は、吹出口及び舌部のまわりで気流が乱れることを防止できるという効果を奏する。
【図面の簡単な説明】
【００１０】
【図１】本発明の実施の形態１に係る遠心送風機の斜視図
【図２】実施の形態１に係る遠心送風機の羽根車の斜視図
【図３】実施の形態１に係る遠心送風機の回転軸を含む断面の断面図
【図４】実施の形態１に係る遠心送風機の回転軸に垂直な断面の断面図
【図５】実施の形態１に係る遠心送風機のスクロールケーシングの内壁面の舌部からの距離と、回転軸からの距離との関係を示す図
【図６】実施の形態１に係る遠心送風機の回転軸に垂直な断面の断面図
【図７】実施の形態１に係る遠心送風機の回転軸に垂直な断面の断面図
【図８】実施の形態１に係る遠心送風機の回転軸に垂直な断面の断面図
【図９】実施の形態１に係る遠心送風機の羽根車の中心とスクロールケーシングの内壁面の最接近点と、スクロールケーシングの拡大終了点とによって形成される角度と最大ファン効率の改善量との関係を示す図
【図１０】実施の形態１に係る遠心送風機のスクロールケーシングの内壁面の舌部からの距離と、回転軸からの距離との関係を示す図
【図１１】実施の形態１に係る遠心送風機の回転軸に沿った断面図
【図１２】実施の形態１に係る遠心送風機の回転軸に垂直な断面の断面図
【図１３】実施の形態１に係る遠心送風機の送風特性を示す図
【図１４】実施の形態１に係る遠心送風機の送風特性を示す図
【図１５】実施の形態１に係る遠心送風機のファン効率を示す図
【発明を実施するための形態】
【００１１】
以下に、本発明の実施の形態に係る遠心送風機を図面に基づいて詳細に説明する。なお、この実施の形態によりこの発明が限定されるものではない。
【００１２】
実施の形態１．
図１は、本発明の実施の形態１に係る遠心送風機の斜視図である。図２は、実施の形態１に係る遠心送風機の羽根車の斜視図である。図３は、実施の形態１に係る遠心送風機の回転軸を含む断面の断面図である。図４は、実施の形態１に係る遠心送風機の回転軸に垂直な断面の断面図である。図３は、図４中のIII-III線に沿った断面を示している。図４は、図３中のVI-VI線に沿った断面を示している。図３及び図４中の破線の矢印は、空気の流れを示している。遠心送風機１は、回転により遠心方向の気流を発生させる羽根車３と、羽根車３を回転させる駆動モータ２と、羽根車３及び駆動モータ２の一部を収容するスクロールケーシング４とを備える。羽根車３は、円盤状の主板５と、主板５の外縁部に間隔を空けて配列された複数の翼６と、翼６の外周部に設置された環状の補強リング７とを備える。羽根車３は、複数の翼６を有する多翼羽根車である。スクロールケーシング４は、下流側ほど流路断面積が狭くなるベルマウス８と、ベルマウス８を通じて空気が流入する吸込口９と、羽根車３が発生させた気流を吹き出す吹出口１０と、スクロールケーシング４内で旋回する気流の一部を吹出口１０へ導く舌部１１とを備えている。
【００１３】
図３及び図４に示すように、吸込口９から遠心送風機１内に吸い込まれた空気は、羽根車３の回転に伴ってスクロールケーシング４内へ吹き出される。スクロールケーシング４内の空気の流れの分布は、吹出口１０の手前の風路断面積が広い領域において、空気が流れやすいために風量が多くなる。一方、舌部１１付近の風路断面積が狭い領域では、空気が流れ込みにくいため、風量が少なくなっている。
【００１４】
図５は、実施の形態１に係る遠心送風機のスクロールケーシングの内壁面の舌部からの距離と、羽根車の中心からの距離との関係を示す図である。なお、スクロールケーシング４の内壁面４１の舌部１１からの距離とは、羽根車３の回転方向に沿う方向での舌部１１からの距離である。図５には、縮小部が無い遠心送風機のスクロールケーシングの内壁面の舌部からの距離と、羽根車の中心からの距離との関係も合わせて示している。スクロールケーシング４には、舌部１１を起点に羽根車３の回転方向に進んだ最接近点Ａにおいて、羽根車３の中心Ｏからスクロールケーシング４の内壁面４１までの距離Ｌが最小値Ｌｍｉｎとなるように縮小部１２が形成されている。舌部１１から最接近点Ａにかけては、縮小部１２を形成しつつ距離Ｌが徐々に短くなる。すなわち、羽根車３とスクロールケーシング４の内壁面４１との隙間が徐々に狭まることで、舌部１１から吹出口１０に向かわずにスクロールケーシング４内へと入り込んで再循環する流れが低減される。
【００１５】
また、縮小部１２を設けることで、吹出口１０及び舌部１１の周辺での流れの乱れが少なくなり、騒音性能を低下させることなく、遠心送風機１の送風性能を向上させることができる。さらに、舌部１１と羽根車３との隙間を確保しつつ、スクロールケーシング４内へ入り込んで再循環する流れを低減できるため、舌部１１の周囲における羽根車３の回転に伴う羽根通過音の発生を抑制できる。
【００１６】
また、実施の形態１に係る遠心送風機１のスクロールケーシング４は、最接近点Ａよりも後流側においては、拡大角が大きくなる形状となっている。羽根車がスクロールケーシングの中央に配置される遠心送風機と比較した場合、最接近点Ａよりも後流側ではスクロールケーシング４の拡大角が大きいため、図５に示すように、グラフの傾きが急になっている。すなわち、スクロールケーシング４の最接近点Ａよりも後流側において風路断面積が拡大する割合が増大するため、スクロールケーシング４内にて動圧から静圧への変換が生じやすくなり、吹出口１０付近における静圧を高めることができる。
【００１７】
羽根車３の中心Ｏとスクロールケーシング４の内壁面４１の最接近点Ａと、羽根車３の中心Ｏとスクロールケーシング４の内壁面４１との距離の拡大が終了する拡大終了点Ｂとによって形成される∠ＡＯＢの角度をθとすると、遠心送風機１の縦寸法Ｈは、角度θの大きさに左右される。拡大終了点Ｂは、最接近点Ａを起点に羽根車３の回転方向へ進んだ箇所に位置する。なお、∠ＡＯＢは、舌部１１と逆側に形成される角度である。
【００１８】
図６は、実施の形態１に係る遠心送風機の回転軸に垂直な断面の断面図である。図６に示すように、１８０°＜θ＜２７０°の場合、遠心送風機１の縦寸法Ｈは、スクロールケーシング４の最接近点Ａから拡大終了点Ｂにかけての拡大角によって決まる。言い換えれば、縦寸法Ｈの全てをスクロールケーシング４の最接近点Ａから拡大終了点Ｂにかけての拡大角を大きくすることに寄与させることができる。よって、吹出口１０の手前の風路断面積が広い領域において、風路断面積がより大きくなり、スクロールケーシング４内を空気がさらに流れやすくなるため、送風性能を向上させることができる。また、送風性能の向上効果を応用して、遠心送風機１の縦寸法Ｈを小さくした際に生じる送風性能の低下分を補えば、送風性能を損なうことなく、遠心送風機１の小型化を実現することもできる。
【００１９】
図７は、実施の形態１に係る遠心送風機の回転軸に垂直な断面の断面図である。図７に示すように、θ＜１８０°の場合、遠心送風機１の縦寸法Ｈは、拡大終了点Ｂを通る縦方向の線が、拡大終了点Ｂとは逆側でスクロールケーシング４と交わる点Ｃと、拡大終了点Ｂとの縦方向の距離となる。なお、拡大終了点Ｂを通る縦方向の線が、拡大終了点Ｂとは逆側でスクロールケーシング４と交わる点は、スクロールケーシング４の舌部１１と最接近点Ａとの間に位置する。θ＜１８０°の場合、遠心送風機１の縦寸法Ｈに制約があると、スクロールケーシング４の最接近点Ａから拡大終了点Ｂにかけての拡大角を大きくしにくくなるため、送風性能を低下させることなく騒音を低減する効果が小さくなる懸念がある。また、実施の形態１に係る遠心送風機１は、スクロールケーシング４の舌部１１から最接近点Ａにかけて、羽根車３とスクロールケーシング４との隙間を縮めることによって、舌部１１から吹出口１０に向わずにスクロールケーシング４内へと再循環する流れを低減させている。したがって、舌部１１と最接近点Ａとの間の領域は風路面積が狭く吸込流れが弱い領域であり、θ＜１８０°の場合、吸込流れが弱い領域を広げ過ぎることになり、送風性能を低下させてしまう恐れがある。
【００２０】
図８は、実施の形態１に係る遠心送風機の回転軸に垂直な断面の断面図である。図８に示すように、θ＞２７０°の場合、スクロールケーシング４の最接近点Ａは舌部１１の近くに存在することになり、スクロールケーシング４の内壁面４１は、羽根車３とスクロールケーシング４との隙間が急激に狭まる形状となる。したがって、スクロールケーシング４内の流れの乱れが生じやすくなり、吹出口１０及び舌部１１のまわりの流れに悪影響を及ぼす恐れがある。
【００２１】
このように、角度θによってスクロールケーシング４の形状は左右されるため、遠心送風機１の送風性能も角度θの影響を受ける。図９は、実施の形態１に係る遠心送風機の羽根車の中心とスクロールケーシングの内壁面の最接近点と、スクロールケーシングの拡大終了点とによって形成される角度と最大ファン効率の改善量との関係を示す図である。角度θと遠心送風機１の最大ファン効率ηの改善量Δηとの関係から、角度θが１８０°≦θ≦２４０°となる範囲内にスクロールケーシング４の縮小部１２を形成すると良いことが分かる。ここで、遠心送風機１の最大ファン効率ηは、静圧をＰ［Ｐａ］、風量をＱ［ｍ３／ｍｉｎ］、軸出力をＷ［Ｗ］とするとき、η＝Ｐ・Ｑ／６０Ｗで算出される。
【００２２】
図１０は、実施の形態１に係る遠心送風機のスクロールケーシングの内壁面の舌部からの距離と、羽根車の中心からの距離との関係を示す図である。図１０に示すように、スクロールケーシング４の形状について、スクロールケーシング４内に縮小部１２を配置することで、最接近点Ａにおいて距離Ｌが最小値Ｌｍｉｎとなり、拡大終了点Ｂに向かって距離Ｌが大きくなるように拡大角を複数段に変化させてもよい。拡大角を複数段に変化させることにより、遠心送風機１を大型化することなく送風性能を向上させることができる。
【００２３】
図１１は、実施の形態１に係る遠心送風機の回転軸に沿った断面図である。図１１に示すように、縮小部１２の周囲のスクロールケーシング４の壁面を回転軸方向に傾斜させることにより、縮小部１２の周囲において羽根車３の回転に伴う翼通過音の発生を低減させてもよい。
【００２４】
図１２は、実施の形態１に係る遠心送風機の回転軸に垂直な断面の断面図である。遠心送風機１を空気調和機のような装置の筐体内に実装して使用する場合には、図１２に示されるように、遠心送風機１の縦寸法をＨ’に小さくするためにスクロールケーシング４の一部を削減したり、吹出方向を変化させたりすることがある。この場合、本来のスクロールケーシング４の拡大が終了する点は仮想点になり、羽根車３の中心Ｏとスクロールケーシング４の内壁面４１との距離の拡大が実際に終了する拡大終了点Ｂも実装状態に応じた点になることから、∠ＡＯＢを数値化することは難しくなる。ただし、実装時における遠心送風機１の送風性能の向上効果を得るためには、上述したようにスクロールケーシング４の最接近点Ａを舌部１１付近には設けずに、スクロールケーシング４の最接近点Ａから拡大終了点Ｂにかけての拡大角を大きくすることが望ましい。よって、駆動モータ２と逆側から遠心送風機１を見て、羽根車３の中心が原点に配置され、遠心送風機１の吹出口１０及び舌部１１が第一象限内に配置されているとみなすとき、スクロールケーシング４の拡大終了点Ｂが第一象限内又は第二象限内に配置され、スクロールケーシング４の内壁面４１までの距離が最小となるスクロールケーシング４の最接近点Ａが第四象限内に収まるようにスクロールケーシング４を形成すると良い。
【００２５】
図１３及び図１４は、実施の形態１に係る遠心送風機の送風特性を示す図である。図１５は、実施の形態１に係る遠心送風機のファン効率を示す図である。図１３、図１４及び図１５に示す送風性能及びファン効率は、遠心送風機１が∠ＡＯＢ＝θ＝２００°のスクロールケーシング４を備える場合の送風性能及びファン効率である。なお、図１３、図１４及び図１５には、拡大角が一定のスクロールケーシングを備えた遠心送風機の送風特性又はファン効率を、縦寸法Ｈを同じに揃えた条件において合わせて示している。実施の形態１に係る遠心送風機１は、拡大角が一定の遠心送風機に対して圧力特性が向上し、最大でファン効率＋１ｐｔの特性向上効果を得られている。
【００２６】
実施の形態１に係る遠心送風機１は、舌部１１を基点に羽根車３の回転方向へ進んだスクロールケーシング４内の最接近点Ａにて、羽根車３の中心Ｏからスクロールケーシング４の内壁面４１までの距離Ｌが最小値Ｌｍｉｎとなるように縮小部１２がスクロールケーシング４内に形成されている。スクロールケーシング４が縮小部１２を備えたことで、舌部１１から吹出口１０に向わずにスクロールケーシング４内へと再循環する流れを低減し、吹出口１０及び舌部１１のまわりの流れの乱れが少なくなり、騒音性能を悪化させることなく、遠心送風機１の送風性能の向上を期待できる。
【００２７】
スクロールケーシング４の拡大角について、スクロールケーシング４内の最接近点Ａよりも後流側において、スクロールケーシング４の拡大角を変化させ、羽根車３の中心Ｏとスクロールケーシング４の内壁面４１との距離の拡大が終了する拡大終了点Ｂにかけての拡大角の値を大きく採るように構成する。この構造とすることで、スクロールケーシング４内の風路断面積が拡大する比率は、拡大角が一定の場合と比較して大きくなるため、動圧から静圧への変換が進み、遠心送風機１の吹出口１０付近において静圧がより高くなる。さらに、拡大角が一定の遠心送風機では羽根車の中心とスクロールケーシングの内壁面との距離の拡大の始点は舌部であるのに対し、実施の形態１に係る遠心送風機１では、羽根車の中心とスクロールケーシングの内壁面との距離の拡大の始点はスクロールケーシング４内の最接近点Ａとなる。したがって、羽根車３の中心Ｏとスクロールケーシング４の内壁面４１との距離の拡大が終了する拡大終了点Ｂにかけての拡大角の値を大きく採りつつも、遠心送風機１全体の大型化を招くことなく、遠心送風機１の送風騒音性能の向上を期待できる。
【００２８】
上記の実施の形態１においては、多翼羽根車を用いた多翼送風機へ本発明を適用した場合について説明したが、本発明はスクロールケーシングを備えた遠心送風機全般に適用可能である。また、上記の実施の形態１においては、片吸込式の遠心送風機へ本発明を適用した場合について説明したが、本発明は、両吸込式の遠心送風機にも適用可能である。また、上記の実施の形態１においては、換気及び空調用途の送風機に本発明を適用した場合について説明したが、本発明は、換気又は空調用の送風機以外の機器にも適用可能である。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
１  遠心送風機、２  駆動モータ、３  羽根車、４  スクロールケーシング、５  主板、６  翼、７  補強リング、８  ベルマウス、９  吸込口、１０  吹出口、１１  舌部、１２  縮小部、４１  内壁面。
【図１】
2019146015.tif 000003
【図２】
2019146015.tif 000004
【図３】
2019146015.tif 000005
【図４】
2019146015.tif 000006
【図５】
2019146015.tif 000007
【図６】
2019146015.tif 000008
【図７】
2019146015.tif 000009
【図８】
2019146015.tif 000010
【図９】
2019146015.tif 000011
【図１０】
2019146015.tif 000012
【図１１】
2019146015.tif 000013
【図１２】
2019146015.tif 000014
【図１３】
2019146015.tif 000015
【図１４】
2019146015.tif 000016
【図１５】
2019146015.tif 000017
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
駆動モータと、
前記駆動モータのシャフトを中心に回転する羽根車と、
吸込口と、前記羽根車が発生させた気流を吹き出す吹出口と、前記羽根車が発生させた気流を前記吹出口に導く舌部とを備え、前記羽根車を収容するスクロールケーシングとを有する遠心送風機であって、
前記羽根車の中心から前記スクロールケーシングの内壁面までの距離は、前記舌部を基点に前記羽根車の回転方向へ進んだ最接近点において最短となり、
前記スクロールケーシングは、前記羽根車の回転方向に沿って拡大角が変化するとともに、前記最接近点と、前記羽根車の中心と、前記最接近点を起点に前記羽根車の回転方向へ進んだ箇所に位置し、前記羽根車の中心と前記スクロールケーシングの内壁面との距離の拡大が終了する拡大終了点とによって形成される角度θは、１９０°≦θ≦２１０°であることを特徴とする遠心送風機。
【請求項２】
前記舌部から前記最接近点にかけて、前記羽根車の中心から前記スクロールケーシングの内壁面までの距離が前記羽根車の回転方向に沿って減少していき、
前記最接近点から前記拡大終了点にかけて、前記羽根車の中心から前記スクロールケーシングの内壁面までの距離が増大することを特徴とする請求項１に記載の遠心送風機。
【請求項３】
前記シャフトの軸方向に沿って前記駆動モータと逆側から前記スクロールケーシングを見た視点において、前記羽根車の中心を原点に配置し、前記吹出口及び前記舌部を第一象限内に配置し、前記拡大終了点を第一象限内又は第二象限内に配置したとき、前記最接近点が第四象限内に配置されることを特徴とする請求項１又は２に記載の遠心送風機。
【手続補正２】
【補正対象書類名】図面
【補正対象項目名】図９
【補正方法】変更
【補正の内容】
【図９】
2019146015.tif 000018
【国際調査報告】
2019146015.tif 000019
2019146015.tif 000020
2019146015.tif 000021
2019146015.tif 000022